(57)【要約】  インフラとして設置されている位置情報発信機は移動端末のサービスを停止させないために常に安定した周波数で信号を送信しつづける必要がある。よって、経年劣化による故障や周波数ずれの対策のために、年に数回のメンテナンス作業が必要である。しかし、メンテナンスを行う際には周波数誤差を検出する高精度な検出装置が必要となり装置費用や作業員コストの負担が大きかった。  これを解決するために、移動受信端末が位置情報発信機からの信号を受信した際の受信周波数と該移動体端末の基準周波数との差であるドップラ周波数を複数の移動受信端末から収集した複数のドップラ周波数を用いて位置情報発信機の周波数補正値を算出し、該周波数補正値に基づき位置情報発信機の中心周波数を調整する。これにより、位置情報発信機の経年劣化による周波数ずれをネットワーク経由で取得でき、位置情報発信機を点検する作業を不要と出来る。
2015079523.tif 000002
【特許請求の範囲】
【請求項１】
位置情報発信機のメンテナンス方法であって、
移動受信端末が該位置情報発信機からの信号を受信した際の受信周波数と該移動体端末の基準周波数との差であるドップラ周波数を複数の移動受信端末から収集した複数のドップラ周波数を用いて前記位置情報発信機の周波数補正値を算出し、
該周波数補正値に基づき前記位置情報発信機の中心周波数を調整することを特徴とする位置情報発信機のメンテナンス方法。
【請求項２】
請求項１に記載の位置情報発信機のメンテナンス方法であって、
さらに、前記複数の移動受信端末の前記位置情報発信機からの信号を受信した取得時刻と位置情報とを収集し、該複数の取得時刻と複数の位置情報と前記複数のドップラ周波数を用いて、前記位置情報発信機の中心周波数を調整することを特徴とする位置情報発信機のメンテナンス方法。
【請求項３】
請求項２に記載の位置情報発信機のメンテナンス方法であって、
前記複数の取得時刻と複数の位置情報との関係から位置情報発信機の異常を検知することを特徴とする位置情報発信機のメンテナンス方法。
【請求項４】
請求項２に記載の位置情報発信機のメンテナンス方法であって、
前記複数の取得時刻に対する取得した複数の位置情報との関係から位置情報発信機から送信される位置情報の設定値を調整することを特徴とする位置情報発信機のメンテナンス方法。
【請求項５】
位置情報を発信する位置情報発信機であって、
可変制御可能なクロック発振器と、該クロック発振器により所定の周波数で位置情報を含む無線信号を発信する無線発信部とを有し、
移動受信端末が前記無線信号を受信した際の受信周波数と該移動体端末の基準周波数との差であるドップラ周波数を複数の移動受信端末から収集した複数のドップラ周波数を用いて算出した該位置情報発信機の周波数補正値を受信し、
該周波数補正値に基づき前記クロック発振器の周波数を制御して前記位置情報発信機の中心周波数を調整することを特徴とする位置情報発信機。
【請求項６】
請求項５に記載の位置情報発信機であって、
さらに、前記複数の移動受信端末の前記無線信号を受信した取得時刻と位置情報とを受信し、該複数の取得時刻と複数の位置情報と前記周波数補正値に基づき前記クロック発振器の周波数を制御して該位置情報発信機の中心周波数を調整することを特徴とする位置情報発信機。
【請求項７】
請求項６に記載の位置情報発信機であって、
前記複数の取得時刻に対する取得した複数の位置情報との関係から位置情報発信機から送信される位置情報の設定値を調整することを特徴とする位置情報発信機。
【発明の詳細な説明】
【技術分野】
【０００１】
本発明は、位置情報発信機のメンテナンス方法に関する。
【背景技術】
【０００２】
ＧＰＳ（Global Positioning System）衛星等の人工衛星から送信されてくる無線信号（以下、「衛星測位信号」と称する）を利用して測位を行うシステムは、屋内や地下街等の衛星測位信号を受信できないエリアにＧＰＳ受信機等の通信端末が入ると、測位精度が低下し、もしくは測位不能になってしまう。【０００３】
その解決策として、例えば、特開２０１２−１７７６２９号公報（特許文献１）には、屋内や地下街等の衛星測位信号を受信できないエリア内に、位置を示す情報である位置情報を、ＧＰＳで使用している周波数（例えば、中心周波数１．５７５４２ＧＨｚ）、変調方式（具体的には、ＢＰＳＫ（Binary Phase-Shift Keying））、多元接続方式（具体的には、ダイレクト・スペクトラム拡散方式のＣＤＭＡ（Code Division Multiple Access））などと互換性のある信号（以下、「位置情報信号」と称する）で発信する、位置情報送信機（屋内送信機）を設置し、携帯電話などの通信端末が、受信した位置情報信号から自身の現在位置を取得する技術が開示されている。【０００４】
また、準天頂衛星システムユーザインタフェース仕様書（ＩＳ―ＱＺＳＳ）1.5版付録 地上補完信号（ＩＭＥＳ）（非特許文献１）には、この位置情報を発信する位置情報発信機の信号仕様が記載されており、信号の周波数精度が±０．２ｐｐｍ以内という非常に高い精度が要求されている。【０００５】
そこで、周波数精度を満足するクロック、例えばＯＣＸＯ（恒温槽型水晶発振器）を位置情報発信機に搭載するとコストが多大になるため、低価格で高精度周波数安定度が要求される電圧制御型温度補償水晶発振器（voltage controlled, temperature compensated crystal oscillator；ＶＣＴＣＸＯ）が搭載されることが多い。しかし、要求される周波数精度を有するＶＣＴＣＸＯであっても、経年劣化によって周波数変動が生じるため、位置情報発信機を長期間、安定して使用するためには、発信機のクロックの経年劣化による周波数のずれを補正する必要がある。
【先行技術文献】
【特許文献】
【０００６】
【特許文献１】特開２０１２−１７７６２９号公報
【非特許文献】
【０００７】
【非特許文献１】準天頂衛星システムユーザインタフェース仕様書（ＩＳ―ＱＺＳＳ）1.5版付録 地上補完信号（ＩＭＥＳ）Quasi-Zenith Satellite System Navigation Service. Interface Specification for QZSS(IS-QZSS) V1.5 ANNEX Indoor Messaging System (IMES)
【発明の概要】
【発明が解決しようとする課題】
【０００８】
インフラとして設置されている位置情報発信機は移動端末のサービスを停止させないために常に安定した周波数で信号を送信しつづける必要がある。よって、長時間連続稼働している位置情報発信機は、経年劣化により故障または周波数のずれが生じることがあるため、年に数回の点検調査をするメンテナンス作業が必要である。しかし、メンテナンス作業を行う際には経年劣化による周波数の誤差を検出する高精度な検出装置が必要となり、装置の費用や作業員のコストの負担が大きかった。
【課題を解決するための手段】
【０００９】
上記課題を解決するために、例えば請求の範囲に記載の構成を採用する。本願は、上記課題を解決する手段を複数含んでいるが、その一例を挙げるならば、移動受信端末が位置情報発信機からの信号を受信した際の受信周波数と該移動体端末の基準周波数との差であるドップラ周波数を複数の移動受信端末から収集した複数のドップラ周波数を用いて位置情報発信機の周波数補正値を算出し、該周波数補正値に基づき位置情報発信機の中心周波数を調整する。
【発明の効果】
【００１０】
位置情報発信機の経年劣化による周波数のずれをネットワーク経由で取得することができるため、位置情報発信機を点検する作業が不要と出来る。
【図面の簡単な説明】
【００１１】
【図１】実施例１の位置情報発信機のメンテナンス方式を説明するシステム構成の概念図である。
【図２】実施例１の位置情報発信機のメンテナンス方式を説明する詳細構成図である。
【図３】実施例１の位置情報発信機の送信情報テーブルのデータ構成例である。
【図４】実施例１の移動体端末の受信情報テーブルのデータ構成例である。
【図５】実施例１のデータ解析部の補正値テーブルのデータ構成例である。
【図６】実施例１の周波数補正値を計算する方法の説明図である。
【図７】実施例２の位置情報発信機の異常を検知する方法の説明図である。
【図８】実施例３の位置情報発信機の位置情報設定異常を検知する方法の説明図である。
【発明を実施するための形態】
【００１２】
以下、実施例について図面を用いて説明する。
【実施例１】
【００１３】
図１は、本実施例の位置情報発信機のメンテナンス方式を説明するシステム構成の概念図である。図１において、位置情報発信機２００は自身の位置情報を発信する発信機であり、屋内に設置され、特定の周波数で連続に位置情報を発信する機能をもつ。移動体端末２２０は、自身の位置を把握するために位置情報発信機２００からの信号を受信し、自身の位置を特定する。このようなシステムにおいては、位置情報発信機からの信号が正しく発信されていることが必要であり、位置情報発信機の異常を検知する手段が必要である。その異常検知する手段として、データ解析部２５０を設ける。データ解析部２５０は、複数の移動体端末から得られる受信情報１５から解析処理部１６において、位置情報発信機の経年劣化による周波数変化や故障などの異常を検知し、周波数補正値１７と異常検知情報１８を生成し、異常のある位置情報発信機のメンテナンスを行う。【００１４】
図２は、位置情報発信機のメンテナンス方式を説明する詳細構成図である。図２において、位置情報発信機２００は、衛星測位信号が受信できない屋内などに設置され、必要な測位精度に応じた間隔で多数の位置情報発信機２００が設置される。【００１５】
ＶＣＴＣＸＯ２１４は、アナログ電圧で振動周波数を制御する能力を持つＴＣＸＯ（temperature compensated crystal oscillator）であり、ＣＰＵ２１０に対して、クロック信号を発振するクロック発振器として働き、ＣＰＵ２１０から振動周波数を制御するための、アナログ電圧が入力される。ＣＰＵ２１０と記憶部２１１とはシリアルインタフェースやバスなどで接続されており、ＣＰＵ２１０は、記憶部２１１に記憶された送信情報テーブル２１２、補正値テーブル２１３を読み込んで発信すべき位置情報メッセージを生成し、無線発信部２１５から衛星測位信号と互換性がある位置情報信号を発信する。【００１６】
位置情報発信機から発信される位置情報信号は、ＰＲＮ（Pseudo Random Noise）番号の符号パターンによってスペクトラム拡散され、所定周波数帯域の搬送波に変調されて発信される。【００１７】
移動体端末２２０は、携帯電話などの人が持つ端末であり、位置情報発信機２００からの信号を無線受信部２３０で受信し、ＣＰＵ２３１でメッセージをデコードして記憶部２３３で受信情報テーブル２３４を記憶する。また、ＣＰＵ２３１は、位置情報発信機２００からの信号を受信した際の中心周波数（受信周波数）と移動体端末の基準周波数との差をドップラ周波数として受信情報テーブル２３４に設定する。【００１８】
ネットワーク部２４０は、複数の移動体端末２２０と無線通信部２３５を介して接続し、データ解析部２５０と接続するものである。【００１９】
データ解析部２５０は、複数の移動体端末から受信情報テーブル２３４を受信し、記憶部２６０に保存後、解析処理２６１で周波数補正値と異常検知を算出する。算出された周波数補正値と異常検知情報は、それぞれ補正値テーブル２６２と異常検知テーブル２６３に格納される。補正値テーブル２６２は位置情報発信機２００に送信され、通信部２１６を介して位置情報発信機２００の補正値テーブル２１３を更新する。すなわち、位置情報発信機はソフトウェアで中心周波数を調整する機能を持ち、ネットワークを経由して周波数の補正値を入力して中心周波数を調整することができる。【００２０】
図３は、位置情報発信機２００の送信情報テーブル２１２のデータ構成例である。図３に示すように、送信情報テーブル２１２には、位置情報３０、ＰＲＮ３１、基準周波数３２、送信出力３３が登録されている。位置情報３０には位置情報発信機２００が発信する位置データを構成する緯度、経度、フロアの値が設定される。ＰＲＮ３１には無線発信部２１５に割り当てるＰＲＮ番号が設定される。例えば、非特許文献１に記載されているＩＭＥＳ（Indoor Messaging System）では１７３〜１８２の１０個の番号（チャンネル）が利用可能となっている。基準周波数３２には、位置情報発信機２００が発信する信号の基準となる周波数が設定される。非特許文献１に記載されているＩＭＥＳ（Indoor Messaging System）では１５７５．４２８２[ＭＨＺ]または１５７５．４１１８が利用可能となっている。送信出力３３には、位置情報発信機２００が発信する信号の出力レベルが設定される。【００２１】
図４は、移動体端末２２０の受信情報テーブル２３４のデータ構成例である。図４に示すように、受信情報テーブル２３４には、機種名４０、受信時刻４１、位置情報４２、ＰＲＮ４３、ドップラ周波数４４、受信強度４５が登録されている。機種名４０には、移動体端末の種別を示すＩＤが設定される。受信時刻４１には、位置情報発信機２００からの信号を受信した時刻が設定される。位置情報４２には、位置情報発信機２００からの信号を受信した際の位置データが設定される。ＰＲＮ４３には、位置情報発信機２００からの信号に割り当てられたＰＲＮ番号が設定される。ドップラ周波数４４には、衛星測位信号の基準周波数である１５７５．４２[ＭＨＺ]からの周波数の偏差が設定される。受信強度４５には、位置情報発信機２００からの信号を受信した際の信号強度が設定される。【００２２】
図５は、データ解析部２５０の補正値テーブル２６２のデータ構成例である。図５に示すように、補正値テーブル２６２には、位置情報５０、ＰＲＮ５１、周波数補正値５２、送信出力補正値５３、位置情報補正値５４が登録されている。位置情報５０には、移動体端末２２０で受信した際の位置データが設定される。ＰＲＮ５１には、移動体端末２２０で受信した際のＰＲＮ番号が設定される。周波数補正値５２には、解析処理２６１で計算された移動体端末２２０の周波数の補正値が設定される。送信出力補正値５３と位置情報補正値５４も同様に、解析処理２６１で計算された移動体端末２２０の周波数の補正値が設定される。位置情報５０とＰＲＮ５１を紐付けることによって、補正を実施したい位置情報発信機２００を特定する。【００２３】
図６は、解析処理２６１において、周波数補正値５２を計算する方法の説明図である。すなわち、位置情報発信機２００の送信クロック誤差６０１を求めるために、多数の移動体端末２２０から得られる多数のドップラ周波数６０２、すなわち位置情報発信機からの信号を受信した際の中心周波数（受信周波数）と移動体端末の基準周波数との差、を利用して周波数補正値５２を計算する。例えば、図６に示す、多数の移動体端末２２０から得られる多数のドップラ周波数１、２、…Ｎの平均値から位置情報発信機の実際の送信周波数を推定し、それを位置情報発信機２００の設定周波数から差し引くことで求めることが出来る。下記、式（１）参照。
周波数補正値＝位置情報発信機の設定周波数−AVERAGE(ドップラ周波数１,ドップラ周波数２,…,ドップラ周波数Ｎ)                        …（１）
なお、実際の送信周波数の推定方法として、多数のドップラ周波数１、２…Ｎの分布が正規分布と仮定して最適な値を選ぶような、統計処理で推定しても良い。【００２４】
以上のように、本実施例によれば、移動受信端末が位置情報発信機からの信号を受信した際の受信周波数と該移動体端末の基準周波数との差であるドップラ周波数を複数の移動受信端末から収集した複数のドップラ周波数を用いて位置情報発信機の周波数補正値を算出し、該周波数補正値に基づき前記位置情報発信機の中心周波数を調整する。また、複数の移動受信端末の位置情報発信機からの信号を受信した取得時刻と位置情報とを収集し、該複数の取得時刻と複数の位置情報と前記複数のドップラ周波数を用いて、位置情報発信機の中心周波数を調整する。すなわち、複数の移動受信端末から収集した位置情報と時刻とドップラ周波数を用いて、統計処理にて位置情報発信機に搭載されているクロックの経年劣化誤差を推定することで、周波数補正値が得られ、ネットワークを経由して位置情報発信機の周波数を補正することができる。【００２５】
よって、位置情報発信機の経年劣化による周波数のずれをネットワーク経由で取得することができるため、位置情報発信機を点検する作業が不要になる。また、発信機からの位置情報と時刻、ドップラ周波数をネットワークで監視することで、機器の故障やメンテナンスの回数を削減することができる。【００２６】
また、位置情報発信機としては、可変制御可能なクロック発振器と、該クロック発振器により所定の周波数で位置情報を含む無線信号を発信する無線発信部とを有し、移動受信端末が前記無線信号を受信した際の受信周波数と該移動体端末の基準周波数との差であるドップラ周波数を複数の移動受信端末から収集した複数のドップラ周波数を用いて算出した該位置情報発信機の周波数補正値を受信し、該周波数補正値に基づき前記クロック発振器の周波数を制御して前記位置情報発信機の中心周波数を調整することが出来る。また、複数の移動受信端末の前記無線信号を受信した取得時刻と位置情報とを受信し、該複数の取得時刻と複数の位置情報と前記周波数補正値に基づき前記クロック発振器の周波数を制御して該位置情報発信機の中心周波数を調整することが出来る。
【実施例２】
【００２７】
本実施例は、経過時間に伴う位置情報発信機の異常を判断する例について説明する。【００２８】
図７は、解析処理２６１において、位置情報発信機２００の異常を検知する方法の説明図である。連続に配置されている位置情報発信機２００からの信号を多数の移動体端末２２０が位置情報発信機２００からの信号を配置順に続けて受信する箇所において、経過時間とともにある特定の位置情報発信機２００からの信号が続けて受信できていないことを検知し、位置情報発信機２００の異常を検出する。すなわち、図７において、位置情報発信機２からの信号を移動体端末３…Ｎが、ある時点から未受信となった場合、位置情報発信機２が経過時間に伴う異常が発生したと判断する。【００２９】
以上のように、本実施例によれば、複数の取得時刻と複数の位置情報との関係から位置情報発信機の異常を検知することが出来る。すなわち、発信機からの位置情報と時刻をネットワークで監視することで、機器の故障やメンテナンスの回数を削減することができる。
【実施例３】
【００３０】
本実施例は、位置情報発信機の位置情報設定異常を検出する例について説明する。【００３１】
図８は、解析処理２６１において、位置情報発信機２００の位置情報設定異常を検知する方法の説明図である。連続に配置されている位置情報発信機２００からの信号を多数の移動体端末２２０が位置情報発信機２００からの信号を配置順に続けて受信する箇所において、ある特定の位置情報発信機２００からの送信される位置情報が異なった座標を送信していることを検知し、位置情報発信機２００の位置情報設定異常を検出する。すなわち、図８において、位置情報発信機２からの信号を移動体端末１…Ｎが、特定の受信時間に異なる位置情報を受信した場合、位置情報発信機の位置情報設定異常として検出する。【００３２】
以上のように、本実施例によれば、複数の取得時刻に対する取得した複数の位置情報との関係から位置情報発信機から送信される位置情報の設定値を調整することが出来る。すなわち、発信機からの位置情報と時刻をネットワークで監視することで、機器の故障やメンテナンスの回数を削減することができる。【００３３】
本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることも可能である。
【符号の説明】
【００３４】
２００  位置情報発信機
２１２  送信情報テーブル
２１３  補正値テーブル
２１４  ＶＣＴＣＸＯ
２２０  移動体端末
２３４  受信情報テーブル
２４０  ネットワーク部
２５０  データ解析部
２６１  解析処理
２６２  補正値テーブル
２６３  異常検知テーブル
６０１  送信クロック誤差
６０２  ドップラ周波数
【図１】
2015079523.tif 000003
【図２】
2015079523.tif 000004
【図３】
2015079523.tif 000005
【図４】
2015079523.tif 000006
【図５】
2015079523.tif 000007
【図６】
2015079523.tif 000008
【図７】
2015079523.tif 000009
【図８】
2015079523.tif 000010
【国際調査報告】
2015079523.tif 000011
2015079523.tif 000012
2015079523.tif 000013
2015079523.tif 000014